(57)【要約】【課題】身体に過度の負担をかけることなく、股関節周りの筋肉を柔軟にしつつ強化することができ、且つ、場所をとらずに手軽に使用することができるトレーニング器具を提供する。【解決手段】トレーニング器具１は、足首を載置する足台１２、及び、足台を摺動させる角筒状の基体１１を備える足台摺動部１０を一対具備すると共に、一対の基体は山型を形成しており、一対の足台摺動部のそれぞれは、基体の上面に貫通して形成された直線状のガイド溝１１１と、足台の底面からガイド溝を介して基体の内部空間に突出している被ガイド部と、基体の内部空間で被ガイド部に対して回転自在に軸支され、基体の長軸に沿って転動する車輪とを具備する。【選択図】図１
2010069064.tif 000002
【特許請求の範囲】
【請求項１】
足首を載置する足台、及び、該足台を摺動させる角筒状の基体を備える足台摺動部を一対具備すると共に、一対の前記基体は山型を形成しており、
一対の前記足台摺動部のそれぞれは、
前記基体の上面に貫通して形成された直線状のガイド溝と、
前記足台の底面から前記ガイド溝を介して前記基体の内部空間に突出している被ガイド部と、
前記基体の内部空間で前記被ガイド部に対して回転自在に軸支され、前記基体の長軸に沿って転動する車輪と
を具備することを特徴とするトレーニング器具。
【請求項２】
一対の前記基体を分離可能に連結する連結部を、更に具備することを特徴とする請求項１に記載のトレーニング器具。
【請求項３】
一対の前記足台摺動部のそれぞれは、
前記足台から前記基体の長軸方向に沿って他方の前記足台摺動部側に伸びるレバー軸、及び、該レバー軸の端部に設けられた把持部を備えるレバーを更に具備する
ことを特徴とする請求項１または請求項２に記載のトレーニング器具。
【発明の詳細な説明】
【技術分野】
【０００１】
本発明はトレーニング器具に関するものであり、特に、股関節周りの筋肉を柔軟にしつつ強化するトレーニング器具に関するものである。
【背景技術】
【０００２】
股関節は大腿直筋、腸腰筋、大殿筋、中殿筋、長内転筋など多くの筋肉に囲まれており、下肢の動作の基点となる関節である。そのため、これらの筋肉が衰え柔軟性が低下すると、腰や膝に負担がかかり腰痛や膝痛を引き起こし易くなり、更には、立ち姿勢が辛く感じる、歩幅が小さくなる、つまずいたり転び易くなる等、日常の基本的な動作に支障をきたすようになる。また、股関節は下肢と上肢とをつなぐ位置に存在するため、股関節周りの柔軟性や筋力の低下により、身体全体の姿勢が悪くなったり、全身が疲れやすくなることもある。そのため、股関節周りの筋肉を柔軟に保ち筋力の低下を防ぐことの重要性は、かねてから広く認識されており、種々の運動法が提唱されている。また、下肢や腰の筋肉を鍛えることを目的としたトレーニングマシンも、種々使用されている。
【０００３】
上記の従来技術は公然に実施されているものであり、この従来技術が記載された文献を、出願人は本願出願時においては知見していない。
【発明の開示】
【発明が解決しようとする課題】
【０００４】
しかしながら、従来のトレーニングマシンには、股関節周りの筋肉を柔軟にしつつ強化することに特化したものはなかった。また、下肢や腰を鍛えるための従来のトレーニングマシンは大型のものが多く、場所をとるという問題があった。加えて、股関節周りの柔軟性や筋力の低下は、加齢に伴って著しく進行し、また、寝込みがちになることで身体を動かすことが少ない病人においても著しい。そのため、高齢者や病人など、自ら積極的に運動したりトレーニングマシンで鍛錬したりすることが困難な人でも、身体に過度の負担をかけることなく、股関節周りの筋肉を柔軟にし、また、強化することができるトレーニング器具が望まれていた。
【０００５】
そこで、本発明は、上記の実情に鑑み、身体に過度の負担をかけることなく、股関節周りの筋肉を柔軟にしつつ強化することができ、且つ、場所をとらずに手軽に使用することができるトレーニング器具の提供を課題とするものである。
【課題を解決するための手段】
【０００６】
上記の課題を解決するため、本発明にかかるトレーニング器具は、「足首を載置する足台、及び、該足台を摺動させる角筒状の基体を備える足台摺動部を一対具備すると共に、一対の前記基体は山型を形成しており、一対の前記足台摺動部のそれぞれは、前記基体の上面に貫通して形成された直線状のガイド溝と、前記足台の底面から前記ガイド溝を介して前記基体の内部空間に突出している被ガイド部と、前記基体の内部空間で前記被ガイド部に対して回転自在に軸支され、前記基体の長軸に沿って転動する車輪とを」具備している。
【０００７】
上記構成の本発明のトレーニング器具は、次のように使用することができる。まず、使用者は、一対の基体の山型の頂点方向を身体の前面が向く方向と一致させて両脚を前に投げ出して座り、或いは、山型の頂点方向に足を向けて仰向け、または、うつ伏せに横になる。そして、両足首の一方を一対の足台の一方に載せ、他方の足首を他方の足台に載せ、両脚を開閉するように動かす。本発明では、足台の底面からはガイド溝を介して被ガイド部が突出しており、被ガイド部は基体の内部空間において基体の底面上を転動する車輪に伴って移動する構成とされており、車輪が転動する方向はガイド溝に案内される被ガイド部によって、ガイド溝の方向に規制されている。その結果、足首を載置した足台は、車輪の転動に伴いガイド溝に沿って直線状に摺動する。
【０００８】
従って、本発明によれば、転動する車輪の助けがあることにより、単に床などの上で両脚を開閉する場合に比べて抵抗が小さく、軽い負荷で両脚を開閉することができる。これにより、身体に過度の負荷をかけることなく、容易に両脚の開閉動作を行うことができ、この動作の繰り返しにより股関節周りの筋肉を柔軟にすることができる。また、軽負荷であっても、脚を開閉する動作は受動的なものではなく、使用者が自ら行うものであるため、その繰り返しによって徐々に股関節周りの筋肉を強化することができる。
【０００９】
また、本発明のトレーニング器具は基体を一対有しており、一対の基体は山型を形成している。これにより、両脚の開閉動作を同時に行うことができ、左右の股関節周りの筋肉を、バランスよく柔軟にしつつ強化することができる。
【００１０】
加えて、本発明のトレーニング器具は、基体に対して足台を摺動させる極めて簡易な構成であるため、従来のトレーニングマシンのように場所をとらないことに加え、容易に運搬することができ、場所を問わずに手軽に使用することができる。例えば、一般家庭の居間で、テレビを見ながら使用することができる。或いは、高齢者や病人などが、布団やベッドの上で使用することができる。特に、本発明のトレーニング器具は横になった姿勢でも使用できるため、寝込みがちになったことで股関節周りの筋肉の柔軟性や筋力が低下した人のリハビリにも適している。
【００１１】
更に、本発明では基体の形状を角筒状としている。ここで、基体の構成としては、角筒状ではなく断面を下方に開放したコ字状とすることも想定し得るが、この場合は、トレーニング器具の設置面上を車輪が転動することとなり、設置面が平滑でない場合は車輪の転動に対する抵抗が大きなものとなるおそれがある。これに対し、本発明の基体は角筒状であり、車輪は基体の内部空間において基体の底面上を転動する。これにより、トレーニング器具の設置面の平滑性を問わず、車輪を滑らかに回転させることができ、軽負荷で足台を摺動させることができる。そのため、例えば、毛足の長いカーペットや布団の上であっても、問題なく本発明のトレーニング器具を使用することができる。
【００１２】
また、基体は角筒状であることから、車輪が転動する経路は、ガイド溝を除いて被覆された状態にある。これにより、使用者の衣類、或いは、トレーニング器具を横になって使用した場合の布団などが、車輪に巻き込まれるおそれを防止して、トレーニング器具を使用することができる。
【００１３】
本発明にかかるトレーニング器具は、上記構成に加え、「一対の前記基体を分離可能に連結する連結部を」具備するものとすることができる。
【００１４】
上記構成により、本発明のトレーニング器具は、一方の足台摺動部、他方の足台摺動部、及び、連結部の三つの部分に分離させることができる。これにより、トレーニング器具を使用しないときには分離させて収納することができ、より場所をとらないものとなる。また、仮に、連結部を備えることなく一対の基体を分離可能な構成としようとすると、角筒状の構成である基体の一対を、直接組み付けて山型を形成させることは難しい。これに対して、本発明では連結部材を介して一対の基体を組み付ける構成であるため、基体がそれぞれ角筒状であっても、山型を形成するように組み付け易く、また、組み付けた状態を安定させることが可能となる。
【００１５】
本発明にかかるトレーニング器具は、「一対の前記足台摺動部のそれぞれは、前記足台から前記基体の長軸方向に沿って他方の前記足台摺動部側に伸びるレバー軸、及び、該レバー軸の端部に設けられた把持部を備えるレバーを更に具備する」ものとすることができる。
【００１６】
上記構成により、本発明のトレーニング器具では、脚の開閉動作を手で補助することができる。すなわち、使用者はレバーを手で把持し、レバーを介して足台を手で外側に押しながら開脚動作をし、逆に、レバーを介して足台を手で内側に引きつけながら閉脚動作をすることができる。また、レバーは長軸方向に伸びるレバー軸を有しているため、手の届かない遠くまで、足台を押しやることができる。これにより、股関節周りの筋肉の柔軟性が乏しく筋力が低下している人でも、手の力で補助することによって開脚動作が行い易く、自力で開脚動作を繰り返すことができる。
【発明の効果】
【００１７】
以上のように、本発明の効果として、身体に過度の負担をかけることなく、股関節周りの筋肉を柔軟にしつつ強化することができ、且つ、場所をとらずに手軽に使用することができるトレーニング器具を提供することができる。
【発明を実施するための最良の形態】
【００１８】
以下、本発明の最良の一実施形態であるトレーニング器具について、図１乃至図７に基づいて説明する。ここで、図１は本発明の一実施形態であるトレーニング器具の平面図であり、図２及び図３は図１のトレーニング器具の組み立て及び分解を説明する平面図であり、図４は図１におけるＡ−Ａ線端面図であり、図５は図２におけるＢ−Ｂ線断面図であり、図６は図１のトレーニング器具における足台近傍の側面図であり、図７は図６における（ａ）Ｃ−Ｃ線断面図、及び、（ｂ）Ｄ−Ｄ線断面図である。
【００１９】
本実施形態のトレーニング器具１は、主に図１〜図３，図７に示すように、足首を載置する足台１２、及び、足台１２を摺動させる角筒状の基体１１を備える足台摺動部１０を一対具備すると共に、一対の基体１１は山型を形成しており、一対の足台摺動部１０のそれぞれは、基体１１の上面に貫通して形成された直線状のガイド溝１１１と、足台１２の底面からガイド溝１１１を介して基体１１の内部空間に突出している被ガイド部１３と、基体１１の内部空間で被ガイド部１３に対して回転自在に軸支され、基体１１の長軸に沿って転動する車輪１５とを具備している。また、本実施形態のトレーニング器具１は、一対の基体１１を分離可能に連結する連結部２０を具備している。更に、本実施形態のトレーニング器具１では、一対の前記足台摺動部１０のそれぞれは、足台１２から基体１１の長軸方向に沿って他方の足台摺動部１０側に伸びるレバー軸３１、及び、レバー軸３１の端部に設けられた把持部３２を備えるレバー３０を具備している。
【００２０】
より詳細に説明すると、一対の基体１１はそれぞれ長さ６０〜９０ｃｍ、幅３〜５ｃｍ、高さ２〜４ｃｍの金属製の角筒によって構成されており、連結部２０を介して連結された一対の基体１１は、１４０°〜１７０°の角度をなす山型を形成している。また、ガイド溝１１１は、基体１１の上面において幅方向のほぼ中央に、基体１１の長軸方向に沿って伸びるように、貫通して穿設されている。更に、それぞれの基体１１において連結部２０と連結される側には、上面及び底面においてそれぞれ同一位置で貫通して穿設された上面孔部１１２及び底面孔部１１３を備えている（図４参照）。
【００２１】
足台１２はかまぼこ形状であり、本実施形態では足首を載せたときに感触が良い木材製である。また、載置した足首が足台１２から外れることを防止するために、足台１２一つにつき二個の足首ストッパ１２８が設けられている。なお、足台１２の構成はこれに限定されるものではなく、例えば、図８に示すように、上面が足首の形に沿うＵ字状に形成された足台１２’とすることもできる。この場合は、ストッパがなくても足首が足台から外れにくい。また、足台の材質も木材に限定されず、樹脂製とすることもできる。
【００２２】
足台１２の底面は被ガイド部１３に取り付けられており、主に図６及び図７に示すように、被ガイド部１３は、足台１２を取り付けるための平板状の取付部１３１と、取付部１３１の幅方向のほぼ中央から線状に突出した線条突部１３２と、線条突部１３２から延設され基体１１の内部空間で二股に分かれている車輪支持部１３３とを具備している。そして、二つに分かれている車輪支持部１３３のそれぞれには、間隔を空けて二つの車輪１５が軸支されている。従って、一つの足台１２は、被ガイド部１３を介して四つの車輪１５の転動によって移動可能な構成である。なお、本実施形態のガイド溝１１１は、車輪１５の交換の便宜等のために基体１１の外側（連結部２０とは反対側）で開端とされており、トレーニング器具１の使用時にガイド溝１１１を閉端として車輪１５の移動を規制するために、車輪ストッパ１１８がガイド溝１１１の端部に着脱可能に取り付けられている。
【００２３】
また、取付部１３１の上面には、足台１２より連結部２０側に足台１２と並ぶようにレバー軸支持部１７が取り付けられており、レバー軸支持部１７は、レバー軸３１の端部側を収容する断面逆Ｕ字状の軸端収容部１７１と、取付部１３１に対して螺子（図示しない）で留め付けるためのフランジ部１７２を備えている。また、軸端収容部１７１には、収容されるレバー軸３１の周方向に一致する方向に長孔部１７５が貫通して形成されている。そして、この長孔部１７５には、レバー軸３１から突出したピン３５が挿通されている。従って、ピン３５は軸端収容部１７１からのレバー軸３１の抜け留めとして作用すると共に、長孔部１７５に沿ってピン３５の移動が許容されることにより、長孔部１７５の長さに相当する角度だけレバー軸３１の軸心回りの回動がガイドされる。
【００２４】
また、レバー軸３１は、レバー軸支持部１７側から連結部２０側に向かって、基体１１の長軸方向に沿って十数ｃｍ伸びており、その先で緩やかに屈曲し、使用者が手で把持するために滑り止めが施された把持部３２が設けられている。
【００２５】
連結部２０は、主に図２，図３，及び図５に示すように、連結部基体２１と、連結部基体２１の両側から延設され、それぞれ一対の基体１１の一方の端部を収容する一対の基体端収容部２２と、基体端収容部２２を被覆する被覆部２５とを備えている。具体的には、基体端収容部２２は断面が上方に開放したコ字状であり、コ字の縁部２２ａの高さは基体１１の高さの約１／２に、コ字の底部２２ｂの幅は基体１１の幅よりごく僅かに大きく設定されている。また、基体端収容部２２には、図示しない連結螺子の螺子部と螺合する螺子溝が内部に形成された円筒状の螺子溝突部２２１が突設されている。なお、基体端収容部２２と連結部基体２１とのなす角度θ（図２参照）は、山型を形成する一対の基体１１のなす角度の１／２に相当する。なお、連結基体１１には、使用者の指を挿通して把持可能なハンドル２１８が設けられている。
【００２６】
一方、被覆部２５は、一対の基体端収容部２２を共に被覆可能な構成とされており、断面が下方に開放したコ字状の一対の基体端被覆部２５１と、一対の基体端被覆部２５１を連結していると共に連結部基体２１の上面と当接する平板状の平板状被覆部２５２とを備えている。ここで、断面コ字状の基体端被覆部２５１は、基体端収容部２２と同じく縁部２５１ａの高さは基体１１の高さの約１／２に、底部２５１ｂの幅は基体１１の幅よりごく僅かに大きく設定されている。すなわち、基体端収容部２２と基体端被覆部２５１とをそれぞれ開放された側で合わせると、基体１１の端部をちょうど嵌め込むことができる空間が形成される（図４参照）。また、一対の基体端被覆部２５１には、それぞれ連結螺子を挿通する被覆部孔部２５５が貫通して穿設されている。
【００２７】
一対の足台摺動部１０及び連結部２０がそれぞれ分離している状態（図２参照）からトレーニング器具１を組み立てる際は、まず、図３に示すように、連結部２０の一対の基体端収容部２２にそれぞれ基体１１の端部を嵌め込む。このとき、基体１１の底面孔部１１３及び上面孔部１１２に螺子溝突部２２１を挿通させる（図４参照）。上記のように、基体端収容部２２の幅は基体１１の幅よりごく僅かに大きく設定されるので、この状態で基体１１の端部はほぼぴったりと基体端収容部２２に嵌挿される。
【００２８】
次に、基体端被覆部２５１が基体端収容部２２の真上となり、螺子溝突部２２１と被覆部孔部２５５の位置が一致すると共に、平板状被覆部２５２が連結部基体２１の上面と当接するように、被覆部２５を載置する。そして、最後に、螺子溝突部２２１の螺子溝と連結螺子を螺合させると、基体端収容部２２、基体１１の端部、及び、基体端被覆部２５１が螺子溝と連結螺子によって留め付けられ、ひいては、連結部２０を介して一対の基体１１が連結される。上記のように、本実施形態では、基体端収容部２２と基体端被覆部２５１によって形成される空間に基体１１の端部がぴったりと嵌挿される構成としているため、一つの基体１１に対して一つの連結螺子を用いるのみで、基体１１を連結部２０に堅固に組み付けることができ、一つの連結螺子の留め付け及び解除により、トレーニング器具１の組み立て及び分離を容易に行うことができる。
【００２９】
トレーニング器具１の使用の際には、まず、使用者は、一対の基体１１の山型の頂点方向を身体の前面が向く方向と一致させて脚を前に投げ出して座り、或いは、山型の頂点方向に足を向けて仰向け又はうつ伏せに横になり、両足首の一方を足台１２の一方に、足首の他方を足台１２の他方に載せる。そして、両脚を開閉するように動かすと、図６に示すように、被ガイド部１３の車輪支持部１３３に取り付けられた車輪１５は、基体１１の内部空間において基体１１の底面上を転動する。このとき、車輪１５の転動する方向は、被ガイド部１３の線条突部１３２を介してガイド溝１１１の伸びる方向に案内される。従って、足首を載置した足台１２は、車輪１５の転動に伴いガイド溝１１１に沿って直線状に摺動する。
【００３０】
従って、本実施形態のトレーニング器具１によれば、転動する車輪１５の助けにより、軽負荷で両脚を開閉することができるため、身体に過度の負荷をかけることなく、容易に両脚の開閉動作を繰り返し、股関節周りの筋肉を柔軟にしつつ強化することができる。
【００３１】
また、本実施形態のトレーニング器具１はレバー３０を備えているため、使用者はレバー３０を把持し、レバー３０を介して足台１２を手で外側に押しながら開脚動作をすることができる。逆に、レバー３０を介して足台１２を手で内側に引きつけながら閉脚動作をすることができる。そして、レバー３０は基体１１の長軸方向に沿って連結部２０の方向に向かって伸びるレバー軸３１を有しているため、手の届かない遠くまで足台１２を押しやるようにして、脚を開脚させることができると共に、手の届かない遠くまで押しやられた足台１２を、レバー３０によって内側に引きつけながら閉脚動作をすることができる。従って、脚の開閉動作を手で補助することによって、より身体に負担をかけることなく、股関節周りの筋肉を柔軟にしつつ強化することができると共に、股関節周りの柔軟性及び筋力が低下した人であっても、自力で股関節周りの筋肉を柔軟にしつつ強化することができる。
【００３２】
更に、本実施形態のレバー３０はレバー軸３１の軸心周りに回動する構成であるため、使用者の体格や前屈のし易さに応じてレバー３０の角度を変化させることができ、それぞれの使用者に適したレバー３０の角度で、足台１２を押し引きすることができる。
【００３３】
また、本実施形態のトレーニング器具１は、山型を形成している一対の基体１１に対して足台１２を摺動させる極めて簡易な構成であるため、場所を問わずに手軽に使用することができる。
【００３４】
更に、トレーニング器具１を運搬する際は、トレーニング器具１において中央に位置するハンドル２１８を把持することにより、自然にバランスをとって容易に運搬することができる。
【００３５】
また、トレーニング器具１を使用しないときは、上記と逆の手順で、一方の足台摺動部１０、他方の足台摺動部１０、及び、連結部２０に分解することにより、スペースをとることなく収納することができる。なお、図示は省略したが、本実施形態では連結螺子として、大径の頭部を有する頭部付き螺子を使用しており、この頭部には、螺子を回す動作を行い易くするために、指をかけることができる窪み又は滑り止めが施されている。これにより、ドライバー等の道具を用いることなく、小さな力による手操作で、連結螺子を容易に回転させることができる。従って、道具を用意することなく、トレーニング器具１の組み立て及び分解を容易に行うことができると共に、高齢者等の力の弱い使用者であっても、トレーニング器具１の組み立て及び分解を容易に行うことができる。
【００３６】
更に、不使用時に上記のように分解しない場合は、トレーニング器具１は長い基体１１を有しているものの、厚さ（高さ）は数センチ程度であるため、壁面から突出しているフックや釘などに、連結部基体２１と基体１１との交差部を引き掛けることにより、スペースをとらない壁掛け状態としておくことができる。
【００３７】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００３８】
例えば、上記では、基体端収容部２２及び基体端被覆部２５１をそれぞれ一対備える構成の連結部２０を例示したが、図９に示すように、基体端収容部２２及び基体端被覆部２５１について、それぞれ連結部基体２１となす角度の異なる複数対が設けられた構成の連結部２０’とすることができる。これにより、連結部２０’によって一対の基体１１が連結された場合に形成される山型の角度を異ならせることができ、開脚させられる度合いを変化させることができる。
【００３９】
或いは、連結部を備えることなく、一対の基体が溶接または接着により一体化されて山型を形成している、より簡易な構成とすることもできる。
【図面の簡単な説明】
【００４０】
【図１】本発明の一実施形態であるトレーニング器具の平面図である。
【図２】図１のトレーニング器具の組み立て及び分解を説明する平面図である。
【図３】図１のトレーニング器具の組み立て及び分解を説明する平面図である。
【図４】図１におけるＡ−Ａ線端面図である。
【図５】図２におけるＢ−Ｂ線断面図である。
【図６】図１のトレーニング器具における足台近傍の側面図である。
【図７】図６における（ａ）Ｃ−Ｃ線断面図、及び、（ｂ）Ｄ−Ｄ線断面図である。
【図８】足台の他の形態を示す斜視図である。
【図９】他の実施形態を説明する連結部平面図である。
【符号の説明】
【００４１】
１  トレーニング器具
１０  足台摺動部
１１  基体
１２，１２’  足台
１３  被ガイド部
１５  車輪
２０，２０’  連結部
３０  レバー
３１  レバー軸
３２  把持部
１１１  ガイド溝
【図１】
2010069064.tif 000003
【図２】
2010069064.tif 000004
【図３】
2010069064.tif 000005
【図４】
2010069064.tif 000006
【図５】
2010069064.tif 000007
【図６】
2010069064.tif 000008
【図７】
2010069064.tif 000009
【図８】
2010069064.tif 000010
【図９】
2010069064.tif 000011